(57)【要約】【課題】振動の方向に係わらず耐震性を確実に向上でき、既存の盤にも適用可能な耐震補強装置を提供する。また、引出し形ユニットを備えたコントロールセンタであっても挿入・引出し機能を阻害することなく、耐震性を向上させる。【解決手段】配電盤１の開口部Ａを形成しているフレーム部２１、２２、２３に、該開口部の少なくとも一部を塞ぐように形成された扉３を固定するための固定座部材７（第１の固定座部材７Ａ、第２の固定座部材７Ｂ）を装着し、上記扉を上記固定座部材に締結具９により固定するようにしたものである。【選択図】図１
2010183717.tif 000002
【特許請求の範囲】
【請求項１】
盤の前面及び又は後面に開口部を形成するフレーム部に、該開口部の少なくとも一部を塞ぐように形成された扉を固定するための固定座部材を装着し、上記扉の閉成時に上記扉を上記固定座部材に締結具により固定し、上記フレーム部と上記扉を一体にしてなることを特徴とする盤の耐震補強装置。
【請求項２】
上記固定座部材は、断面略Ｌ字形に形成され、該Ｌ字形の一辺に上記フレーム部に固定するための固定部が設けられ、他辺に上記扉を固定するねじ穴が形成されたものであることを特徴とする請求項１に記載の盤の耐震補強装置。
【請求項３】
上記フレーム部の内側を通過するように設けられた引出し形ユニットを備え、上記固定座部材の上記一辺は、該引出し形ユニットと上記フレーム部の間に形成された隙間よりも薄く形成されていることを特徴とする請求項２に記載の盤の耐震補強装置。
【請求項４】
断面略Ｌ字形に形成され、該Ｌ字形の一辺に上記フレーム部に固定するための固定部が設けられ、他辺に上記扉を固定するねじ穴が形成された第１の固定座部材を上記扉のヒンジ側に取り付け、断面略Ｌ字形に形成され、該Ｌ字形の一辺に上記フレーム部に固定するための固定部が設けられ、他辺はＬ字形の内角側の面が肉厚の第１固定部と、肉薄の第２固定部からなる階段状に形成され、上記扉に固定するねじ穴が上記肉薄の第２固定部に形成された第２の固定座部材を上記扉の開放側に取り付けたことを特徴とする請求項１に記載の盤の耐震補強装置。
【発明の詳細な説明】
【技術分野】
【０００１】
本発明は、例えば配電盤等の盤の耐震補強装置に関し、更に詳細には例えば既存の盤の耐震性向上に好ましく用いることができる盤の耐震補強装置に関するものである。
【背景技術】
【０００２】
例えば発電所等に納められる配電盤はその重要度に応じて耐震基準が設けられ、新規施工時にはその基準を満足する様に設計・施工されている。近年耐震基準の見直しが実施され、従来設計のままでは新しい基準に合致しない場合がある。運転中の設備については新しい設備への置き換えが難しいため、大規模な筐体の改造をすることなく、設置済みの配電盤の補強による耐震性を向上させることが求められている。配電盤の耐震性向上を図った従来の技術として、躯体側にヒンジにより取付け自由端部を掛止めるようにした扉において、扉内面のヒンジ側および自由端側と、これに対向する躯体側両側とに、扉閉止時に互いに嵌合する凹凸係合部を設けたことを特徴とする扉止め装置がある（例えば特許文献１参照）。
【先行技術文献】
【特許文献】
【０００３】
【特許文献１】実開昭５５−７４２０７号全文明細書（第１頁、第１図、第２図）
【発明の概要】
【発明が解決しようとする課題】
【０００４】
上記のような従来の技術においては、地震発生時に躯体に変形応力が加わっても扉の移動が生じず、ヒンジ金具や掛止部に破壊荷重が加わることがないという効果が得られるものの、扉を閉じたときの凹凸の係合体相互による嵌合によって固定しているので、扉を閉じたときの扉の前後方向に対する振動には弱いという問題があった。
【０００５】
この発明は上記のような従来技術の課題を解消するためになされたもので、振動の方向に係わらず耐震性を確実に向上でき、既存の盤にも適用可能な耐震補強装置を提供することを目的としている。
【課題を解決するための手段】
【０００６】
この発明に係る盤の耐震補強装置は、盤の開口部を形成するフレーム部に、該開口部の少なくとも一部を塞ぐように形成された扉を固定するための固定座部材を装着し、上記扉を上記固定座部材に締結具により固定するようにしたものである。
【発明の効果】
【０００７】
この発明によれば、盤の開口部を形成するフレーム部に固定座部材を装着し、扉をその固定座部材に締結具により固定するようにしたことにより、振動の方向に係わらず耐震性を確保できる。また、構造が簡単であり、既存の配電盤等の盤であっても大規模な改修を伴うことなく、耐震性を確実に向上させることができる。
【図面の簡単な説明】
【０００８】
【図１】この発明の実施の形態１に係る盤の耐震補強装置を既設のコントロールセンタに適用した場合について説明する図であり、（ａ）は要部を概略的に示す斜視図、（ｂ）は図１（ａ）の正面図。
【図２】図１に示された筐体の開口部を形成するフレーム部に固定座部材を取り付けた後、引出し形ユニットを収納した状態を示す正面図。
【図３】（ａ）は図１に示された固定座部材を示す斜視図、（ｂ）は固定座部材の他の例を示す斜視図。
【発明を実施するための形態】
【０００９】
実施の形態１．
図１〜図３はこの発明の実施の形態１に係る盤の耐震補強装置をＪＥＭ−１１９５（日本電機工業会の配電盤、制御盤に関する規格）にて定められた既設のコントロールセンタに適用した場合について説明する図であり、図１（ａ）は要部を概略的に示す斜視図、図１（ｂ）は図１（ａ）の正面図、図２は筐体の開口部を形成するフレーム部に固定座部材を取り付けた後、引出し形ユニットを収納し前面の扉を外した状態を示す正面図、図３（ａ）は図１、図２に示された固定座部材を示す斜視図、図３（ｂ）は同じく固定座部材の他の例を示す斜視図である。図において、盤としてのコントロールセンタ１は、前面側に開口部Ａを形成している筐体２と、開口部Ａを塞ぐ複数のユニット扉３と、図１の右側部に上下方向に形成された配線用のダクトＢを塞ぐダクト扉４を備えている。
【００１０】
筐体２の開口部Ａには、図（ａ）の左端部、中央右寄り部、及び右端部に柱状の、フレーム部２１、２２、２３がそれぞれ形成されている。開口部Ａの内側部には複数の引出し形ユニット５（図２）が収容される。そして、ユニット扉３はその引出し形ユニット５の高さ寸法に対応した大きさに形成されており、左端部のフレーム部２１に対して扉ヒンジ６により回動可能に係止されている。ダクト扉４は上下方向に長く形成され、右端部のフレーム部２３に図示省略しているヒンジによりユニット扉３と同様に回動可能に係止され、開閉し得る構造となっている。なお、筐体２を構成するフレーム部２１〜２３には扉ヒンジ６の固定などに用いるための多数のねじ穴、及び穴が一定間隔で加工されている。
【００１１】
上記ユニット扉３及びダクト扉４を、筐体２のフレーム部２１、２２、２３に固定する耐震補強装置を構成する固定座部材７（第１の固定座部材７Ａ、第２の固定座部材７Ｂ）は、図３に示すように断面略Ｌ字形に形成されている。図３（ａ）の第１の固定座部材７Ａはヒンジ側のフレーム部２１、２３に固定されるもの、図３（ｂ）の第２の固定座部材７Ｂは扉の開放側のフレーム部２２に固定されるものである。第１の固定座部材７ＡにおけるＬ字形の一辺７１にはフレーム部２１、または２３に固定するためのボルト８を挿通させる複数の貫通孔からなる固定部７１ａが設けられ、他辺７２にはユニット扉３の左端部を締結具としての固定ボルト９によって固定するためのねじ穴７２ａが設けられている。なお、第２の固定座部材７Ｂの他辺７２は、Ｌ字状の内角側の面が、肉厚の第１固定部７２１と、肉薄の第２固定部７２２からなる階段状に形成されている。
【００１２】
そして、第２固定部７２２には、ユニット扉３の右端部を固定ボルト９によって固定するためのねじ穴７２ａが設けられ、第１固定部７２１にはダクト扉４の左端部を固定ボルト９によって固定するためのねじ穴７２ｂが設けられている。なお、階段状の段部によって形成された空間部Ｃは固定ボルト９をねじ穴７２ａに螺着したときに、該固定ボルト９の先端部を逃がすための余裕部となっている。一方、固定座部材７Ａの場合、該余裕部は他辺７２の内角側表面７２ｃをフレーム部２１の前端部から離間させることで適宜の寸法に形成することができる。なお、上記ねじ穴７２ａ、７２ｂのネジ山は図示を省略している。
【００１３】
また、第１の固定座部材７Ａを右端部のフレーム部２３に取り付ける場合は、１８０度回転した状態で用いられるが、この例では耐震強度向上の効果上必要がなく、用いない場合を示している。また、引出し形ユニット５には、例えば発電所の配電盤を構成する各種機器類が搭載された制御回路等が設けられている。さらに、図２に示すように、第１の固定座部材７Ａの一辺７１の厚さにボルト８の頭部及び図示省略している座金の寸法を加えた寸法Ｈは、フレーム部２１内側面と引出し形ユニット５の左端面との間の隙間Ｔよりも小さく形成されている。
【００１４】
次に、上記のように構成された実施の形態１の動作について説明する。耐震補強装置を構成するには、先ずユニット扉３を開いて扉ヒンジ６から外し、引出し形ユニット５も引き出して取り外す。そして図１、図２に示すように、第１の固定座部材７Ａをフレーム部２１にボルト８を用いて固定し、第２の固定座部材７Ｂをフレーム部２２にボルト８を用いて固定する。なお、この例では第１、第２の固定座部材７Ａ、７Ｂは１枚のユニット扉３につき、左右に２箇所ずつ取り付ける。また、フレーム部２１、２２側にボルト８を螺合させるためのねじ穴は、新たに設けても良いし、予め所定間隔で設けられているヒンジ取り付け用のねじ穴を利用しても良い。一方、外したユニット扉３には、取り付けた第１、第２の固定座部材７Ａ、７Ｂの計４箇所のねじ穴７２ａに対応する位置に、固定ボルト９を挿通させるための穴開け加工を行う。そして、取り外した引出し形ユニット５を挿入して元の位置に固定する。
【００１５】
図２は上記のようにして筐体２のフレーム部２１、２２に第１、第２の固定座部材７Ａ、７Ｂを取り付けた後、引出し形ユニット５を挿入した状態を示している。次に、上記穴開け加工したユニット扉３を扉ヒンジ６に係合させ、引出し形ユニット５前面の開口部Ａを塞ぐように閉じた後、４本の固定ボルト９を用いてユニット扉３を第１、第２の固定座部材７Ａ、７Ｂのねじ穴７２ａにねじ込み、固定する。なお、上述したように第１の固定座部材７Ａをフレーム部２１に装着したときの寸法Ｈは、フレーム部２１と引出し形ユニット５の間の隙間Ｔよりも小さく形成されているので、第１、第２の固定座部材７Ａ、７Ｂを装着した後でも引出し形ユニット４の筐体２への挿入・引出し操作を阻害することがない。
【００１６】
なお、引出し形ユニット５は、上下方向に複数取り付けられており、上下に隣接する他の引出し形ユニット５の取付箇所についても同様にして耐震補強装置を構成する第１、第２の固定座部材７Ａ、７Ｂを装着し、それぞれのユニット扉３を固定ボルト９により筐体２に固定する。一方、ダクト扉４は、上記ユニット扉３を外したときに、同時にフレーム部２３側の図示省略しているヒンジから外し、フレーム部２２に装着された第２の固定座部材７Ｂのねじ穴７２ｂに対応する位置に固定ボルト９を挿通させるための穴開け加工を行う。そして、元通り当該ヒンジに係合させダクト扉４を閉じた後、固定ボルト９で第２の固定座部材７Ｂのねじ穴７２ｂにねじ込み、固定する。なお、固定箇所は第２の固定座部材７Ｂに対応する全ての位置でも良いが、要求される強度に応じて間引いても差し支えない。
【００１７】
また、ダクト扉４の幅寸法が大きい場合など、必要があれば図の右側のダクト扉４のヒンジを取り付けているフレーム部２３に第１の固定座部材７Ａを取り付け、ダクト扉４の左右両側部を固定ボルト９により強固に固定することもできる。さらに、ユニット扉３またはダクト扉４に上記のような固定ボルト９を挿通させるための穴開け加工ができない場合、第１、第２の固定座部材７Ａ、７Ｂをフレーム部２１〜２３に取り付けたときに、ユニット扉３またはダクト扉４と干渉する場合や、ヒンジ６の調整が必要となり調整範囲を超える場合などは、ユニット扉３またはダクト扉４、あるいはヒンジ６を、予め適合するように加工あるいは製作したものに交換することで耐震補強装置を構成することができる。
【００１８】
上記説明したように、実施の形態１によれば、盤の開口部Ａを形成するフレーム部２１〜２３に、該開口部Ａの少なくとも一部を塞ぐように形成されたユニット扉３またはダクト扉４をねじ止め固定するための第１、第２の固定座部材７Ａ、７Ｂを固定し、ユニット扉３またはダクト扉４を第１、第２の固定座部材７Ａ、７Ｂに締結具である固定ボルト９によってねじ止め固定するようにしたので、ユニット扉３またはダクト扉４が筐体２と一体化され、筐体２の一部とすることにより耐震性が向上する。また、構成が簡単なので既存の配電盤等の盤であっても、大規模な筐体の改造をすることなく、耐震性を確実に向上させることができる。
【００１９】
また、第１の固定座部材７Ａの一辺７１の厚さにボルト８の頭部の寸法を加えた寸法Ｈを、フレーム部２１内側面と引出し形ユニット５の左端面との間の隙間Ｔよりも小さく形成したので、第１、第２の固定座部材７Ａ、７Ｂを装着した後の引出し形ユニット４の筐体２への挿入・引出し操作を阻害することがない。
なお、上記実施の形態１では盤の開口部Ａが前面側に形成されている場合について説明したが、開口部Ａが後面側に形成されたもの、あるいは前面側と後面側の両方に開口部Ａが形成されたものであっても同様に実施できる。また、第１、第２の固定座部材７Ａ、７Ｂを断面Ｌ字状の部材によって構成した例を示したが、該形状あるいは取り付け構造等は特に例示したものに限定されるものではなく、この発明の範囲内で種々の変形や変更ができることは言うまでもない。例えば、ダクト扉４がコントロールセンタ１の前面側に設けられていない場合においては、扉の開放側にも第１の固定座部材７Ａを１８０度回転させた状態で取付けるようにすることで、固定座部材の種類を減らすこともできる。
【符号の説明】
【００２０】
１  コントロールセンタ（盤）、  ２  筐体、  ３  ユニット扉、  ４  ダクト扉、  ２１、２２、２３  フレーム部、  ５  引出し形ユニット、  ６  扉ヒンジ、  ７  固定座部材、７Ａ  第１の固定座部材、７Ｂ第２の固定座部材、  ７１  一辺、  ７１ａ  固定部、  ７２  他辺、  ７２ａ  ねじ穴、  ７２ｂ  ねじ穴、  ７２ｃ  内角側表面、  ７２１  第１固定部、  ７２２  第２固定部、  ８  ボルト、  ９  固定ボルト（締結具）、  Ａ  開口部、  Ｂ  ダクト、  Ｃ  空間部。
【図１】
2010183717.tif 000003
【図２】
2010183717.tif 000004
【図３】
2010183717.tif 000005